(57)【要約】【課題】  ＩＰ電話装置にユーザーのプレゼンス状態を登録する際の作業性を向上させたＩＰ電話装置を提供する。【解決手段】  プレゼンス状態登録画面において表示されるプレゼンス状態表示文字列をあらかじめ限定し、表示が許可されているプレゼンス状態表示文字列のみプレゼンス状態登録画面において表示し、選択を可能とする（Ｓ８、Ｓ９）。表示が許可されていないプレゼンス状態表示文字列は、例えばプレゼンス状態登録画面でプレゼンス状態選択ボタンを押下しても表示されず、選択することができない。また、表示が許可されているプレゼンス状態表示文字列が二種類のみである場合に、プレゼンス状態登録ボタンを一回押下することにより、登録されているプレゼンス状態が、もう一方の表示可能なプレゼンス状態表示文字列に対応したプレゼンス状態に切り替わる（Ｓ４）。【選択図】        図１
2006279478.tif 000002
【特許請求の範囲】
【請求項１】
ユーザーのプレゼンス状態をＩＰ電話に登録するプレゼンス状態登録画面において、前記プレゼンス状態を示すプレゼンス状態表示文字列を選択および指定することにより前記プレゼンス状態の登録を行うプレゼンス状態登録手段と、
前記プレゼンス状態登録画面において前記プレゼンス状態表示文字列を表示するプレゼンス状態表示文字列表示手段と、
前記プレゼンス状態登録手段において指定された前記プレゼンス状態表示文字列を、前記プレゼンス状態を管理するプレゼンスサーバに通知するためのプレゼンス状態通知文字列に変換するプレゼンス状態通知文字列変換手段と、
前記プレゼンス状態表示文字列と前記プレゼンス状態通知文字列とを関連付けてプレゼンステーブルとして前記ＩＰ電話の記憶部に記憶するプレゼンステーブル記憶手段と、
を備えたＩＰ電話装置において、
前記プレゼンステーブルに記憶されている前記プレゼンス状態表示文字列に対して、前記プレゼンス状態表示文字列表示手段における表示可否を設定する表示可能表示文字列選択手段と、
前記表示可能表示文字列選択手段において表示可能と選択された前記プレゼンス状態表示文字列のみ、前記プレゼンス状態表示文字列表示手段において表示する表示文字列限定表示手段と、
を有することを特徴とするＩＰ電話装置。
【請求項２】
前記表示可能表示文字列選択手段の結果をもとに、前記プレゼンス状態表示文字列表示手段において表示可能な前記プレゼンス状態表示文字列の数を判別する表示可能表示文字列数判別手段と、
前記表示可能表示文字列数判別手段の結果、表示可能である前記プレゼンス状態表示文字列の種別数が二つと判断された場合に、前記プレゼンス状態登録手段の実行を行うためのプレゼンス状態登録ボタンの押下を一回検知することにより、前記表示文字列限定表示手段において表示可能に設定されている前記プレゼンス状態表示文字列に対応した前記プレゼンス状態のうち、現在登録されていないもう一方の前記プレゼンス状態が登録されるプレゼンス状態切替登録手段と、
を有することを特徴とする請求項１に記載のＩＰ電話装置。
【発明の詳細な説明】
【技術分野】
【０００１】
本発明は、ＩＰネットワークに接続されたＩＰ電話装置に関するものであり、特にＩＰ電話装置におけるプレゼンス状態登録画面の制御方法に関する。
【背景技術】
【０００２】
近年、ＶｏＩＰ（Voice over Internet Protocol）を用いて音声通話を行うＩＰ電話装置（ＩＰ電話）が普及し始めている。ＶｏＩＰとは、インターネットやイントラネットのようなＩＰネットワーク上で音声通話を実現する技術である。ＶｏＩＰでは、デジタル符号化した音声信号を一定の時間毎に区切ってパケット化し、ＩＰネットワークを使用して送信する。ＩＰネットワークは回線使用効率が高いため、従来の電話回線を使用するよりも通話料金にかかるコストが少ないという利点がある。
【０００３】
またＩＰ電話のもう一つの特徴として、ＶｏＩＰ以外のプロトコルを使用して、音声通信以外の通信機能を実装できるという点がある。例えば、ＩＰ電話の装置設定を行う場合、ＩＰ電話の小さな表示パネルと少ない操作ボタンで装置の設定を行うことは非常に煩わしい作業である。しかし例えばＨＴＴＰ（HyperText Transfer Protocol）を使用して外部（例えばＰＣのブラウザ）からＩＰ電話へ接続する機能をＩＰ電話に実装させることにより、ＰＣのブラウザからＩＰ電話の設定を変更したり、また例えば、ＩＰ電話の通信ログをＰＣのブラウザから参照したりすることが可能となる。
【０００４】
上記のように、ＩＰ電話に実装されている音声通信以外の通信機能の一つとして、プレゼンス機能がある。プレゼンス機能とは、ある通信端末（例えばＩＰ電話）を使用しているユーザーが、今現在どのような在席状況（プレゼンス状態）にあるかを登録、管理、伝達するための機能である。ユーザーは現在の自分のプレゼンス状態（例えば会議中、外出中など）を示す情報を自分のＩＰ電話に登録することにより、ＩＰネットワークを通じて他のＩＰ電話を使用しているユーザーに自分のプレゼンス状態を通知することができる。
【０００５】
これにより例えば、ＩＰ電話からＩＰ電話に対して電話をかける前に、相手側ユーザーの状況をプレゼンス機能によって知ることができる。そのため例えば、相手が離席中であった場合、電話をかける前に相手の離席を確認することができるため、電話に費やす時間や通信費を無駄にすることがない。また例えば、相手側ユーザーが会議中であった場合、他者を経由して会議室に電話を転送してもらったり、或いは急ぎの用事ではないのでしばらく待ったりなど、選択を行うことができる。このようにプレゼンス機能とは、ユーザー間のコミュニケーションが円滑に行われるように補助するための機能といえる。
【０００６】
プレゼンス機能を活用した発明として特許文献１では、ユーザーのプレゼンス情報をもとに、交換機が自動的に通信の転送を行うコミュニケーション交換システムが開示されている。特許文献１のシステムにおいては、ＩＰ電話内のメモリに、ユーザーが選択できるプレゼンス状態を一覧にまとめたプレゼンステーブルが存在する。このテーブルには、例えば在席中、外出中、会議中などのプレゼンスが登録されており、ユーザーはこの中から一つのプレゼンスを選択することができる。ユーザーがプレゼンスを選択すると、ＩＰ電話は登録されたプレゼンスをユーザーのプレゼンス状態として、プレゼンスサーバ機能を持つ交換機に対して通知する。
【０００７】
交換機は、各ＩＰ電話から通知されたプレゼンス状態を記憶するプレゼンス管理テーブルと、ユーザー毎のプレゼンス状態に対応した転送先を記憶するユーザー毎転送先テーブルとを、メモリ内に保持している。これにより、あるユーザーに対する着信があった場合、交換機はプレゼンス管理テーブルを参照して、該当ユーザーのプレゼンス状態を確認する。そして交換機は、プレゼンス状態に対応した転送先を、ユーザー毎転送先テーブルから取得して転送処理を行う。
【０００８】
これにより例えば、ユーザーのプレゼンス状態が在席中であった場合、転送を行わず着信先のＩＰ電話へ接続する。また例えば、プレゼンス状態が会議中であった場合、会議室の電話に転送をおこなう。また例えば、プレゼンス状態が外出中であれば、ユーザーの携帯電話に転送を行う。このように、プレゼンス状態毎に異なった転送処理を自動的に行うことができる。
【特許文献１】特開２００５−１８１９４号公報
【発明の開示】
【発明が解決しようとする課題】
【０００９】
しかしながら上記のようなプレゼンス機能は、ユーザーが正しい運用を行って始めて有効に機能するものである。例えばあるユーザーが、不在中であるにもかかわらずＩＰ電話に在籍中のプレゼンス状態を登録していれば、当然そのＩＰ電話に対して電話がかかってくる可能性がある。プレゼンス状態の登録および変更はあくまで各ユーザーが手動で行うものであるため、運用面での意識統一を徹底させなければ、プレゼンス機能は有効に機能しないという問題がある。
【００１０】
しかしながらＩＰ電話は、他の通信端末（例えばＰＣや携帯電話）と比較して表示部が小さく、また操作ボタンも少ないという欠点がある。そのため、プレゼンス状態を登録および変更する場合も、選択できるプレゼンスの数が多ければ多いほど、操作にかかるボタン押下の回数が多くなり、作業性が低下するという問題があった。
【課題を解決するための手段】
【００１１】
本発明は上記の問題を鑑みてなされたものであり、
ＩＰ電話にプレゼンス状態を登録する際の作業性を向上させるために、
プレゼンス状態登録画面においてユーザーが選択できるプレゼンスをあらかじめ限定することができることと、
選択できるプレゼンスが二つに限定されている場合、通常よりも少ない手順でプレゼンス状態の選択および登録ができることと、
を特徴とするＩＰ電話装置を提供することを目的とする。
【００１２】
上記目的を達成するために本発明のＩＰ電話装置は、
ユーザーのプレゼンス状態をＩＰ電話に登録するプレゼンス状態登録画面において、前記プレゼンス状態を示すプレゼンス状態表示文字列を選択および指定することにより前記プレゼンス状態の登録を行うプレゼンス状態登録手段と、
前記プレゼンス状態登録画面において前記プレゼンス状態表示文字列を表示するプレゼンス状態表示文字列表示手段と、
前記プレゼンス状態登録手段において指定された前記プレゼンス状態表示文字列を、前記プレゼンス状態を管理するプレゼンスサーバに通知するためのプレゼンス状態通知文字列に変換するプレゼンス状態通知文字列変換手段と、
前記プレゼンス状態表示文字列と前記プレゼンス状態通知文字列とを関連付けてプレゼンステーブルとして前記ＩＰ電話の記憶部に記憶するプレゼンステーブル記憶手段と、
を備えたＩＰ電話装置において、
前記プレゼンステーブルに記憶されている前記プレゼンス状態表示文字列に対して、前記プレゼンス状態表示文字列表示手段における表示可否を設定する表示可能表示文字列選択手段と、
前記表示可能表示文字列選択手段において表示可能と選択された前記プレゼンス状態表示文字列のみ、前記プレゼンス状態表示文字列表示手段において表示する表示文字列限定表示手段と、
を有することを特徴としている。
【００１３】
この構成によると例えば、ユーザーがＩＰ電話に自分のプレゼンス状態を登録する際に、あらかじめ表示が可能と設定されているプレゼンス状態表示文字列のみプレゼンス状態登録画面に表示され、選択が可能となる。表示が不可と設定されているプレゼンス状態表示文字列については、例えばプレゼンス状態登録画面において選択ボタンを押下しても表示されないため、指定することができない。
【００１４】
なお、プレゼンス状態表示文字列の表示可否設定は、設定が行われたＩＰ電話のプレゼンス状態登録画面に対してのみ反映されるものであり、ＩＰ電話の他の画面（例えばプレゼンス状態表示画面）や他のＩＰ電話に対してはなんら影響をおよぼさない。従って例えば、本ＩＰ電話において「カイギチュウ」のプレゼンス状態表示文字列が表示不可に設定されていたとしても、他ユーザーが他ＩＰ電話に対して「カイギチュウ」のプレゼンスを登録することは可能である。この場合、他ＩＰ電話で登録された「カイギチュウ」のプレゼンス情報を受信した本ＩＰ電話は、プレゼンス状態表示画面において他ユーザーのプレゼンス状態（「カイギチュウ」）を表示することが可能である。
【００１５】
また本発明のＩＰ電話装置は、
前記表示可能表示文字列選択手段の結果をもとに、前記プレゼンス状態表示文字列表示手段において表示可能な前記プレゼンス状態表示文字列の数を判別する表示可能表示文字列数判別手段と、
前記表示可能表示文字列数判別手段の結果、表示可能である前記プレゼンス状態表示文字列の種別数が二つと判断された場合に、前記プレゼンス状態登録手段の実行を行うためのプレゼンス状態登録ボタンの押下を一回検知することにより、前記表示文字列限定表示手段において表示可能に設定されている前記プレゼンス状態表示文字列に対応した前記プレゼンス状態のうち、現在登録されていないもう一方の前記プレゼンス状態が登録されるプレゼンス状態切替登録手段と、
を有することを特徴としている。
【００１６】
この構成によると、例えばプレゼンス状態登録画面において表示が許可されているプレゼンス状態表示文字列が二種類のみである場合、ユーザーがプレゼンス状態登録ボタンを一回押下することにより、表示可能なプレゼンス状態表示文字列に対応した二種類のプレゼンス状態のうち、現在登録されていないもう一方のプレゼンス状態が切り替わって登録される。このため、一回のボタン押下のみにより、プレゼンス状態の選択および登録が同時に行なわれることとなる。
【発明の効果】
【００１７】
本発明の第１の構成によれば、
ユーザーが普段使用しないプレゼンス状態に対応したプレゼンス状態表示文字列をプレゼンス状態登録画面において表示不可とすることができるため、ユーザーがプレゼンス状態登録作業において選択ボタンを押下することにより順次表示されるプレゼンスの数を削減することができる。このため、プレゼンス状態登録作業の際に、選択ボタンを押下する平均回数が減り、作業性の向上を図ることができる。
【００１８】
本発明の第２の構成によれば、
プレゼンス状態登録画面において表示が許可されているプレゼンス状態表示文字列が二種類のみである場合に、ユーザーがプレゼンス状態登録ボタンを一回押下することにより、プレゼンス状態が、もう一方の表示可能なプレゼンス状態表示文字列に対応したプレゼンス状態に切り替わる。このため、一回のボタン押下によりプレゼンス状態表示文字列の選択および指定を一度に行うことができる。これにより、通常のプレゼンス状態登録作業と比較して少ない手順でプレゼンス状態の登録を行うことができるため、作業性の向上を図ることができる。
【発明を実施するための最良の形態】
【００１９】
以下に、本発明のＩＰ電話について、図面を参照しつつ説明する。
［実施の形態］
〈１．ＩＰ電話の要部構成について〉
ここで、本発明のＩＰ電話１の要部構成およびＩＰ電話１が接続されるＩＰネットワークの構成要素について、図２のブロック図を用いながら説明する。
【００２０】
図２のブロック図に示すように、本発明のＩＰ電話１は少なくとも、制御部１１、メモリ１２、操作ボタン群１３、表示パネル１４を含むように構成されている。また、本発明のＩＰ電話１は、ＩＰネットワークを通じてプレゼンスサーバ５０、ＳＩＰサーバ６０に接続されている。
【００２１】
制御部１１は、ＩＰ電話１の各部材の駆動を有機的に制御して、ＩＰネットワークを用いた通信処理を統括制御するものである。また制御部１１は、各装置（例えば表示パネル１４）の制御や、データの計算、データ加工処理等を行なう中枢部分となっている。
【００２２】
メモリ１２は、各種データを記録するための媒体であり、記憶するデータの種別毎に複数の記憶部を有する。メモリ１２は、少なくともプレゼンステーブル記憶部２１、およびプレゼンス情報記憶部２２を含むように構成されている。
【００２３】
プレゼンステーブル記憶部２１は、プレゼンス状態表示文字列とプレゼンス状態通知文字列とを関連付けて一覧としたプレゼンステーブルを記憶するための記憶部である。なお、プレゼンステーブルの詳細については後述する。
【００２４】
プレゼンス情報記憶部２２は、操作ボタン群１３および表示パネル１４を用いて登録されたプレゼンス状態を記憶するための記憶部である。プレゼンス情報記憶部２２に記憶されたプレゼンス状態は、ネットワークを通じて後述するプレゼンスサーバ５０に通知される。またプレゼンス情報記憶部２２は、ＩＰネットワークを通じてプレゼンスサーバ５０より受信した他のＩＰ電話１のユーザーのプレゼンス情報を記憶する役割も持つ。
【００２５】
操作ボタン群１３は、ユーザーがＩＰ電話１を用いて音声通信もしくはデータ通信等を行う際の各種指示をＩＰ電話１に対して行なうための入力インタフェースである。具体的には、ダイアルボタン、短縮ダイアルボタン、プレゼンス状態登録ボタン、などを含んでいる。
【００２６】
表示パネル１４は、ユーザーに対してＩＰ電話１が保持している各種情報を表示するための出力インタフェースである。プレゼンス状態の表示や、各種設定を行う際の情報の表示に使用される。
【００２７】
プレゼンスサーバ５０は、ＩＰ電話１より通知されたユーザー毎のプレゼンス状態を受信、記憶、管理、配信等するための装置である。プレゼンスサーバ５０により、ユーザーが在籍しているか、或いは外出中であるかなどの情報を中継することにより、ユーザー間で連絡を取り合うことなく、相互の状況を確認しあうことが可能となる。なお、ＩＰ電話１以外の通信端末（例えばＰＣや携帯電話など）からＩＰネットワーク経由で通知されたプレゼンス状態を扱うことも可能である。プレゼンスサーバ５０は、少なくともプレゼンス管理情報記憶部５１を含むように構成されている。
【００２８】
プレゼンス管理情報記憶部５１は、例えば通信端末（例えばＩＰ電話１）から送信されてきたユーザー毎のプレゼンス状態を、他の通信端末に対して中継するための設定情報や、前記中継処理を行った際の処理履歴などを記憶するための記憶部である。通信端末からプレゼンス状態に関する通知を受信する度に、プレゼンス管理情報は更新される。
【００２９】
ＳＩＰサーバ６０は、ＳＩＰ（Session Initiation Protocol）を用いてＩＰ電話１間の通信制御を行う通信制御装置である。ＳＩＰとは、転送機能や発信者番号通知機能などを備えた通話制御プロトコルの一種であり、同系統のプロトコルと比較して接続にかかる時間が短いという特徴を持つ。ＳＩＰサーバーは、クライアント（例えばＩＰ電話１）がアドレスを登録するレジスタサーバ、クライアントに代わってアドレスを検索するプロキシサーバ、クライアントから受け取った接続要求を別のアドレスに転送するリダイレクトサーバなどの機能を備えている。
【００３０】
〈２．プレゼンステーブルの構成について〉
図３は、本発明のＩＰ電話１におけるプレゼンステーブル記憶部２１に記憶されているプレゼンステーブルの構成の一例を示したテーブル図である。プレゼンステーブルは少なくとも、プレゼンス状態通知文字列、プレゼンス状態表示文字列、および表示可否フラグを含むように構成されている。
【００３１】
プレゼンス状態通知文字列は、ユーザー毎のプレゼンス状態をネットワークを通じて通知する際に使用される文字列データである。装置内部の処理で使用される文字列データであるため、ユーザーが意識することはない。プレゼンス状態通知文字列は、主に英数字から構成されている。
【００３２】
プレゼンス状態表示文字列は、ユーザー毎のプレゼンス状態を各通信端末のユーザーインタフェース（例えばＩＰ電話１の表示パネル１４）において表示するための文字列である。主にカタカナなどの日本語が使用される。なお、プレゼンス状態表示文字列は、プレゼンス状態通知文字列と一対一の関係で関連付けられていることが運用上好ましい。
【００３３】
表示可否フラグは、該当するプレゼンス状態表示文字列がプレゼンス状態登録手段において表示されるかどうかを設定するためのフラグである。表示可否フラグにおいて表示不可に設定されている（図３において「×」が設定されている）プレゼンス状態表示文字列は、該当するＩＰ電話１のプレゼンス状態登録画面には表示されず、従って指定を行うことができない。なお、表示可否フラグにより表示不可となっているプレゼンス状態表示文字列は該当するＩＰ１のプレゼンス状態登録画面に対してのみ反映されるものであり、例えばプレゼンスサーバ５０から受信した他ＩＰ電話１のプレゼンス状態を表示するプレゼンス状態表示画面に対しては影響をおよぼさない。
【００３４】
〈３．プレゼンス状態の登録工程について〉
ここで、本発明のＩＰ電話１におけるプレゼンス状態の登録工程を図１のフローチャートと、図２から図６の図とを用いて説明する。
【００３５】
図１に示すように、制御部１１がユーザーによるプレゼンス状態登録ボタンの押下を検知することにより、本処理が開始される（Ｓ１）。なお、プレゼンス状態登録ボタンは操作ボタン群１３に含まれるボタンの一つであり、プレゼンス状態登録処理の開始およびプレゼンス状態の決定において用いられるボタンである。
【００３６】
制御部１１は、プレゼンステーブル記憶部２１に記憶されているプレゼンステーブル（図３および図５参照）の表示可否フラグを参照し、表示可能であるプレゼンス表示文字列の数を確認する。表示可能であるプレゼンス表示文字列の数が二以下である場合（例えば図３に示す状態）、次のＳ３に進む。表示可能であるプレゼンス表示文字列の数が三以上である場合（例えば図５に示す状態）、Ｓ５に進む（Ｓ２）。
【００３７】
上記Ｓ２において、表示可能であるプレゼンス表示文字列の数が二以下であった場合、次に表示可能であるプレゼンス表示文字列の数が二であるかどうかを確認する（Ｓ３）。表示可能であるプレゼンス表示文字列の数が二である場合、次のＳ４に進む。表示可能であるプレゼンス表示文字列の数が二ではない場合、登録できるプレゼンス状態が一種類しかないと判断され、本処理を終了する。
【００３８】
上記Ｓ３において、表示可能であるプレゼンス表示文字列の数が二であった場合、表示可能である二つのプレゼンス状態表示文字列に対応するプレゼンス状態通知文字列のうち、現在登録されていないもう一方のプレゼンス状態通知文字列を、新しいプレゼンス状態としてＩＰ電話に登録し、本処理を終了する（Ｓ４）。
【００３９】
例えば、図３に示すように、表示可能であるプレゼンス表示文字列が「ザイセキ」と「リセキ」のみであり、かつ現在登録さているプレゼンス状態通知文字列が「online」であったとする。この場合、本処理により「online」に代わって「away」が新しいプレゼンス状態通知文字列として登録される。この際、表示パネル１４においては図６の矢印αに示すように、プレゼンス表示文字列が「ザイセキ」から「リセキ」に切り替わって表示される。なお、仮にこの状態で再度本処理を実行（プレゼンス状態登録ボタンを押下）した場合、登録されているプレゼンス状態通知文字列が「away」から「online」に切り替わり、図６の矢印βに示すようにプレゼンス状態表示文字列が「リセキ」から「ザイセキ」に切り変わって表示される。
【００４０】
上記Ｓ２において、表示可能であるプレゼンス状態表示文字列の数が三以上であった場合、現在登録されているプレゼンス状態通知文字列に対応するプレゼンス状態表示文字列を表示パネル１４に表示する（Ｓ５）。例えば現在登録されているプレゼンス状態通知文字列が「online」であった場合、図６に示すように「ザイセキ」とプレゼンス状態表示文字列が表示される。
【００４１】
Ｓ５の後、制御部１１はユーザーからの指示を待つ待機状態に入る。待機状態に入ってから一定時間以内にプレゼンス状態登録ボタンの押下を検知した場合、現在プレゼンス状態登録画面に表示されているプレゼンス状態表示文字列に対応するプレゼンス状態通知文字列を、ＩＰ電話１に登録して本処理を終了する（Ｓ６）。なお、登録されたプレゼンス状態通知文字列は、ＩＰネットワークを通じてプレゼンスサーバ５０に通知されるが、この処理については従来技術と同様であるため、ここでは説明を省略するものとする。
【００４２】
Ｓ５の後、制御部１１が待機状態に入ってから一定時間以内にプレゼンス状態選択ボタンの押下を検知した場合、次のＳ８に進む。なお、待機状態に入ってから制御部１１が一定時間以内にプレゼンス状態登録ボタン或いはプレゼンス状態選択ボタンの押下を検知しなかった場合、現在プレゼンス状態登録画面に表示されているプレゼンス状態表示文字列に対応するプレゼンス状態通知文字列を、ＩＰ電話１に登録して本処理は終了する（Ｓ７）。
【００４３】
Ｓ７においてプレゼンス状態選択ボタンの押下を検知した制御部１１は、プレゼンステーブル記憶部２１に記憶されているプレゼンステーブル（図５参照）を確認し、現在表示されているプレゼンス状態表示文字列の次のナンバーを持つプレゼンス状態表示文字列の表示可否フラグを確認する。確認の結果、表示可能である場合は次のＳ９に進む。表示不可である場合、さらに次のナンバーを持つプレゼンス状態表示文字列の表示可否フラグを確認する（Ｓ８）。このようにして、表示可能であるプレゼンス状態表示文字列が発見されるまで、Ｓ８を繰り返し実行する。
【００４４】
制御部１１は、上記Ｓ８において確認された表示可能なプレゼンス状態表示文字列を、プレゼンス状態登録画面（表示パネル１４）に表示する（Ｓ９）。例えば現在のプレゼンス状態が「ザイセキ」であり、プレゼンステーブルが図５の状態に設定されていたとする。この場合、「ザイセキ」の次のナンバーを持つ「トリコミチュウ」の表示可否フラグが確認される。確認の結果、表示不可（「×」）であるため、更に次のナンバーを持つ「リセキ」の表示可否フラグが確認される。確認の結果、表示可能（「○」）であるため、「リセキ」がプレゼンス状態登録画面に表示される。上記一連の処理をユーザーから見た場合、図６の矢印αに示すように、プレゼンス状態表示文字列が「ザイセキ」から「リセキ」に切り替わったように見えることとなる。
【００４５】
上記Ｓ９実行の後、本処理はＳ５の実行直後の状態に移り、再度Ｓ６以降の処理が行われる。例えばもう一度ユーザーが、プレゼンス状態選択ボタンを押下した場合（Ｓ７）、図６の矢印βに示すように、プレゼンス状態登録画面において表示されているプレゼンス状態表示文字列が「リセキ」から「カイギチュウ」に切り替わる。この場合、プレゼンステーブルの「イチジリセキ」から「ガイシュツチュウ」までのプレゼンス状態表示文字列は、プレゼンス状態登録画面において表示されることはない。
【００４６】
〈４．本発明の種々ある特徴について〉
本実施形態によると、
プレゼンス状態登録画面において、ユーザーが普段使用しないプレゼンス状態に対応したプレゼンス状態表示文字列を、あらかじめ表示不可に設定することができる（図３、図５）。表示不可に設定されたプレゼンス状態表示文字列は、プレゼンス状態登録画面において、プレゼンス状態選択ボタンを押下しても表示されない（Ｓ７〜Ｓ８）。
【００４７】
従って、例えば現在登録されているプレゼンス状態が「ザイセキ」であり、プレゼンス状態を「カイギチュウ」に変更したいとする。従来のＩＰ電話では、図７のプレゼンステーブルに示すように「ザイセキ」と「カイギチュウ」の間に六つのプレゼンス状態表示文字列があるため、図８の矢印αおよび矢印βに示すように、計七回プレゼンス状態選択ボタンを押下して、「ザイセキ」を「カイギチュウ」に切り替える必要があった。
【００４８】
これに対して本発明のＩＰ電話においては、例えば図５に示すように、表示されるプレゼンス状態表示文字列をあらかじめ「ザイセキ」、「リセキ」、「カイギチュウ」の三つに限定することにより、図６の矢印αおよび矢印βに示すように、計二回プレゼンス状態選択ボタンを押下することにより、「ザイセキ」を「カイギチュウ」に切り替えることが可能である。このように、従来よりも少ないボタン操作でプレゼンス状態の選択が行えるため、プレゼンス状態登録作業の作業性向上を図ることができる。
【００４９】
また本実施形態によると、
プレゼンス状態登録画面において表示可能であるとされているプレゼンス状態表示文字列が二種類のみに設定されている場合、ユーザーがプレゼンス状態登録ボタンを一回押下することにより、表示可能である二つのプレゼンス状態表示文字列に対応したプレゼンス状態のうち、現在登録されていないもう一方のプレゼンス状態がＩＰ電話に登録される。
【００５０】
従って、例えば現在登録されているプレゼンス状態が「ザイセキ」であり、プレゼンス状態を「リセキ」に変更したいとする。従来のＩＰ電話では、図７のプレゼンステーブルに示すように「ザイセキ」と「リセキ」の間に一つのプレゼンス状態表示文字列があるため、計二回プレゼンス状態選択ボタンを押下して、「ザイセキ」を「リセキ」に切り替える必要があった。
【００５１】
これに対して本発明のＩＰ電話においては、例えば図３に示すように、使用できるプレゼンス状態表示文字列があらかじめ「ザイセキ」と「リセキ」の二つに限定されている場合に、プレゼンス状態登録ボタンを計一回押下することにより、図４の矢印αに示すように、「ザイセキ」から「リセキ」への表示切り替えおよび登録が同時に行われる。このように、従来よりも少ないボタン操作でプレゼンス状態の選択が行えるため、プレゼンス状態登録作業の作業性向上を図ることができる。
【００５２】
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実行することができる。
【００５３】
例えば前述した実行形態の機能を実現するソフトウェアのプログラムコードを記録した記憶媒体を、ＩＰ電話１に供給し、そのＩＰ電話１内のコンピュータ（例えばＣＰＵ）が記憶媒体に格納されたプログラムコードを読出し実行することによっても、達成されることは言うまでもない。
【００５４】
この場合、記憶媒体から読出されたプログラムコード自体が、前述した実行形態の機能を実現することになり、そのプログラムコードを記憶した記憶媒体は本発明を構成することになる。
【００５５】
なお、プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカードなどを用いることができる。
【００５６】
また、コンピュータが読出したプログラムコードを実行することにより、前述した実行形態の機能が実現されるだけでなく、そのプログラムコードの指示に基づき、ＩＰ電話１上で稼働しているＯＳ（オペレーティング方法）などが実際の処理の一部または全部を行い、その処理によって前述した実行形態の機能が実現される場合も含まれることは言うまでもない。
【００５７】
さらに、記憶媒体から読出されたプログラムコードが、ＩＰ電話１に挿入された機能拡張ボードやＩＰ電話１に接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実行形態の機能が実現される場合も含まれることは言うまでもない。
【図面の簡単な説明】
【００５８】
【図１】本発明のプレゼンス状態登録処理のフローチャートである。
【図２】本発明のＩＰ電話の構成要素およびＩＰ電話が接続されるネットワークの構成要素を示したブロック図である。
【図３】本発明のプレゼンステーブルの構成の一例を示したテーブル図である。
【図４】本発明のプレゼンス状態登録画面の遷移を示した画面遷移図である。
【図５】本発明のプレゼンステーブルの構成の一例を示したテーブル図である。
【図６】本発明のプレゼンス状態登録画面の遷移を示した画面遷移図である。
【図７】従来のプレゼンステーブルの構成の一例を示したテーブル図である。
【図８】従来のプレゼンス状態登録画面の遷移を示した画面遷移図である。
【符号の説明】
【００５９】
１    ＩＰ電話（ＩＰ電話装置）
１１  制御部
１２  メモリ（記憶部）
１３  操作ボタン群
１４  表示パネル
５０  プレゼンスサーバ
６０  ＳＩＰサーバ
【図１】
2006279478.tif 000003
【図２】
2006279478.tif 000004
【図３】
2006279478.tif 000005
【図４】
2006279478.tif 000006
【図５】
2006279478.tif 000007
【図６】
2006279478.tif 000008
【図７】
2006279478.tif 000009
【図８】
2006279478.tif 000010